(57)【特許請求の範囲】
【請求項１】
ＬＥＤ光源ランプの口金部分に、着脱自在なヒューズを内包する溶断式安全器を設けたこと、を特徴とする口金
【発明の詳細な説明】
【技術分野】
【０００１】
本願発明は、溶断式安全器を備えた電球・電灯口金に関する。
【背景技術】
【０００２】
近年、省エネルギーの要請から、また省エネルギーへの感心の高まりから、発光効率が悪くかつ寿命が比較的短い白熱電球に代わって、発光効率が良くかつ寿命の長いＬＥＤを光源とするランプが脚光をあび、日常使用されるようになってきた。
【０００３】
従来のタングステンフィラメント等（以下適宜「フィラメント等」と称する。）の白熱電球においては、フィラメント等がその商品のコアであることから、白熱電球そのものが安価に供給され、フィラメントの溶損を以って商品の寿命とされてきている。
このような白熱電球に溶断式安全器（例．溶断ヒューズおよびホルダー）を設けると、そのコスト増は、本体である白熱電球のコストに比べ、率換算でも高いコスト増となるため、白熱電球の商品寿命を考慮した時、溶断式安全器を備える必要性・市場性は皆無であると考えられてか、未だ実用化されていない。
また、白熱電球の内部は高度の真空度が要求されることから、フィラメント等の光源は高度の真空度に保たれた球体内に単に支持されている単純な構造となっており、この観点からも、真空度を損ない兼ねない溶断式安全器を設ける必要性は皆無と言えるものであった。
【０００４】
一方、ＬＥＤを光源とするランプ等は、その内部に、ＬＥＤ発光部（ＬＥＤ素子）のみならず、ＬＥＤドライバー（ＬＥＤを安定して点灯させる回路）、マイクロコンピューター（電流を監視・制御する演算素子）、電源ユニット（商用電圧（例．AC100V）を直流電圧（例．DC5V）に安定に変換する回路ユニット）および電源制御ユニット（回路内の異常電圧・電流が発生した時に電圧・電流を制御・停止する回路ユニット）等が備えられて、従来の白熱電球と異なって高度な電子家電製品である。
【０００５】
ＬＥＤを光源とするランプ等には、最新の電子回路が多数使用されかつ製品寿命等に充分な配慮がなされて設計・製作されているが、一方それがために、ＬＥＤを光源とするランプ等はどうしても高価な品物になりやすい。
【０００６】
一方、外部の家電や雷等に起因して、まれに突入電圧・電流（例．サージ電流や高い周波数のパルス性スパイクノイズ）が商用電源に重畳することは広く経験されていることであり、これによって電子機器が破壊される事例もあり、高度な電子家電製品であって安価とは言えないＬＥＤ光源ランプ等にも、破壊に至らないように安全に保護できる対処措置が施されていれば商品価値は一層高められることになる。
しかし、電子回路に充分な配慮されていると言う観点からか、あるいは、従来のフィラメント等の白熱電球の概念・観念の延長からか、現在に至るも、溶断式安全器を備えた口金を装備しているＬＥＤ光源ランプ等は、見当たらない。
【先行技術文献】
【特許文献】
【０００７】
特許電子図書館の公報テキスト検索（公開特許公報）で、以下の条件で検索し、個個について調査したが、該当すると思料できるものはありません。
「要約と請求の範囲」  「発光ダイオード」
ＡＮＤ  「要約と請求の範囲」  「ヒューズ」
発見された件数は、８０件
および
「ＩＰＣ」              Ｈ０１Ｋ１／６６
発見された件数は、１９件
【発明の概要】
【発明が解決しようとする課題】
【０００８】
本願発明は、上記のような事情のもとで考えだされたＬＥＤ光源ランプ等に装備する溶断式安全器を備えた電球・電灯口金に関するもので、外部の家電や雷等に起因する突入電圧・電流の外乱原因に対処でき、長寿命化を図ることが可能な溶断式安全器を備えた口金を提供することを課題とする。
【課題を解決するための手段】
【０００９】
本願発明では、ＬＥＤ光源ランプには、真空度を要しないこと、および、ＬＥＤ光源ランプは白熱電球に比べて高価であること、ならびに、ＬＥＤ光源ランプは長寿命であることに着目し、ＬＥＤ光源ランプに溶断式安全器を備えた電球・電灯口金を設けることは、構造的に容易であり、コスト的にも本体コストに比べれば安価に済み、長寿命であるが故に実用性が充分に存ることに鑑み、口金方式を採用するＬＥＤ光源ランプにおいて、ＬＥＤ光源ランプの口金部分に、着脱自在なヒューズを内包できる溶断式安全器を備える電球・電灯口金とした。
【発明の効果】
【００１０】
外部の家電や雷等に起因する突入電圧・電流の外乱原因に対して、ヒューズの溶断で対処でき、高価なＬＥＤ光源ランプ等の内部回路を損傷することなく、ＬＥＤ光源ランプ等の長寿命化を図ることができる。
【００１１】
ＬＥＤ光源ランプ等への装着を想定していることから、真空度に配慮することなく、簡単な構造の溶断式安全器とすることができる。
【００１２】
簡単な構造の溶断式安全器とすることができたことから、従来のＬＥＤ光源ランプ等のコストに比べて、本願発明を採用したＬＥＤ光源ランプ等は、コスト上昇率の極めて少ない、市場性のあるものである。
【００１３】
口金部分に溶断式安全器を設けたことから、通常の白熱電球・ＬＥＤ光源ランプ等と同様に使用できる。
【００１４】
また、口金部分に設けた溶断式安全器内には、必要に応じ着脱自在に取り換えられるヒューズを内包する方式を採用したことから、ヒューズの溶断を容易に確認でき、ヒューズ溶断時には簡単にその場でヒューズを取り換えるだけで即復旧・使用することができる。
【図面の簡単な説明】
【００１５】
【図１】本願発明を示す口金の断面図であり、上半分は図２におけるＡ矢視断面を示し、下半分は図２におけるＢ’矢視断面を示す。
【図２】図２は、図１の状態における口金の側面図であって、口金開口にヒューズを入れ、ヒューズを押え込みながら接点兼ヒューズ押えカバーを嵌め込み、さらに、接点兼ヒューズ押えカバーを少々回した状態を示すものである。
【図３】図３は、ヒューズを示す正面図である。
【図４】図４は、接点兼ヒューズ押えカバーを示す３面図（正面図、側面図、平面図）である。
【図５】図５は、口金に、接点兼ヒューズ押えカバーを嵌め込んだ状態を示す側面図である。
【図６】図６は、図５の、縦断面図である。
【図７】図７は、図８の状態における口金の側面図であって、口金開口にヒューズを入れ、ヒューズを押え込みながら接点兼ヒューズ押えカバーを嵌め込み、さらに、接点兼ヒューズ押えカバーを使用状態まで回した状態を示す側面図である。
【図８】図８は、図７の断面図であり、上半分は図７におけるＢ”矢視断面を示し、下半分は図７におけるＣ矢視断面を示す。
【発明を実施するための形態】
【００１６】
図１に示すように、従来型の口金１０に、ヒューズ挿入・閉止機構を設ける。
ヒューズ挿入・閉止機構は、ヒューズ押えカバー支持部材１１、ヒューズ押えばね支持部材１６からなり、ヒューズ押えカバー支持部材には蝶羽根形開口１２（図２）および蝶羽根形爪嵌合用溝１３が設けられ、ヒューズ押えばね支持部材には電力取込兼用ヒューズ押えばね１７が設けられている。
ヒューズ押えカバー支持部材およびヒューズ押えばね支持部材は、従来型の口金と同様に、絶縁体１８で、螺旋ねじ部材１９に一体化されている。
ヒューズ押えカバー支持部材やヒューズ押えばね支持部材および螺旋ねじ部材には、真鍮材やアルミ材が使用され、絶縁体にはガラス基材・瀝青基材が使用される。
なお、従来型の電球口金の型式には、Ｅ２６型およびＥ１７型があり、本願発明は、これらの型式の口金のみならず、他の型式の口金、例えば筒状口金、にも使用できるものである。
【００１７】
ヒューズ押えばね支持部材１６に設けられた電力取込兼用ヒューズ押えばね１７は、ヒューズ２０との接触圧力を一定に保つと共に内部回路への電力取り入れを兼ねている（詳細省略）。
この電力取込兼用ヒューズ押えばねには、一般には奥行きの小さなコイルばね、例．燐青銅製のコイルばね、が用いられるが、皿形ばね等他の形式のばねでも良い。
【００１８】
図４に示すように、接点兼ヒューズ押えカバー３０には、蝶羽根形爪３１と開口３２が設けられている。開口は、接点兼ヒューズ押えカバーを回転させて取付け取り外しする際に、この開口に尖端のあるもの（例．針金・小型ドライバー）を差し込んで、取付け取り外しの便宜を計るために設けられている。
また、蝶羽根形爪は弾力性を持たすためにスリット３３が設けられている（図４）。
接点兼ヒューズ押えカバーには、真鍮材やアルミ材が、使用される。
【００１９】
ヒューズ２０の取付け方法は次のとおりである。
口金１０の端部からヒューズを差し込み、接点兼ヒューズ押えカバー３０の蝶羽根形爪３１を蝶羽根形開口１２に嵌合・押し込んだ後（図５）、接点兼ヒューズ押えカバーを回し込んでいけば（図２）、蝶羽根形爪は蝶羽根形爪嵌合用溝１３に嵌合しながら、ヒューズが固定的に支持される（図７）。
なお、接点兼ヒューズ押えカバーを逆に回し込まないように、逆回転止め１４を設けることが望ましい（図２）。
さらに、蝶羽根形爪が必要以上に（例えば、４分の１回転以上に）回転しないように蝶羽根形爪嵌合用溝に係止の措置、例えば溝底部に突起、を設けておくことが望ましい（図示省略）。
【産業上の利用可能性】
【００２０】
本願発明は、日常生活に必要不可欠な照明に関するものであって、ＬＥＤ光源ランプ等の外乱による故障を防止するのに役立つものである。
また、省エネルギーに貢献するＬＥＤ光源ランプ等を、その故障による廃却を少なくできるという点で、産業上の利用可能性が高いものである。
【符号の説明】
【００２１】
１０    口金
１１    ヒューズ押えカバー支持部材
１２    蝶羽根形開口
１３    蝶羽根形爪嵌合用溝
１４    逆回転止め
１６    ヒューズ押えばね支持部材
１７    電力取込兼用ヒューズ押えばね
１８    絶縁体
１９    螺旋ねじ部材
２０    ヒューズ（管型）
３０    接点兼ヒューズ押えカバー
３１    蝶羽根形爪
３２    開口
３３    スリット
【図１】
0005527775.tif 000002
【図２】
0005527775.tif 000003
【図３】
0005527775.tif 000004
【図４】
0005527775.tif 000005
【図５】
0005527775.tif 000006
【図６】
0005527775.tif 000007
【図７】
0005527775.tif 000008
【図８】
0005527775.tif 000009